(57)【要約】  無線パラメータの組み合わせの第１のセットを示す情報を受信する受信部と、該無線パラメータの組み合わせの第１のセットと、自身でサポートする無線パラメータの組み合わせの第２のセットと、に基づいて、前記第１のセットと前記第２のセットとの間で共通な無線パラメータの組み合わせの第３のセットを抽出する制御部と、該無線パラメータの組み合わせの第３のセットを示す情報を送信する送信部と、を備える通信装置。
2020003531.tif 000002
【特許請求の範囲】
【請求項１】
無線パラメータの組み合わせの第１のセットを示す情報を受信する受信部と、
該無線パラメータの組み合わせの第１のセットと、自身でサポートする無線パラメータの組み合わせの第２のセットと、に基づいて、前記第１のセットと前記第２のセットとの間で共通な無線パラメータの組み合わせの第３のセットを抽出する制御部と、
該無線パラメータの組み合わせの第３のセットを示す情報を送信する送信部と、
を備える通信装置。
【請求項２】
前記受信部は、前記無線パラメータの組み合わせの第３のセットの中から選択された１又は複数の無線パラメータの組み合わせを示す１又は複数のインデックスを受信し、
前記制御部は、前記受信した１又は複数のインデックスで指定される１又は複数の無線パラメータを前記受信部に設定する、請求項１に記載の通信装置。
【請求項３】
前記制御部は、前記無線パラメータの組み合わせの第３のセットの中の各無線パラメータの組み合わせを前記受信部に設定し、前記受信部は、前記設定された無線パラメータの組み合わせで、データ受信を試みる、
請求項１に記載の通信装置。
【請求項４】
前記制御部は、前記無線パラメータの組み合わせの第３のセットの中の各無線パラメータの組み合わせに割り当てられる優先順位に基づき、前記無線パラメータの組み合わせの第３のセットの中で最も高い優先順位が割り当てられている無線パラメータのセットを抽出し、
前記送信部は、前記最も高い優先順位が割り当てられている無線パラメータのセットを示すインデックスを送信する、
請求項１に記載の通信装置。
【請求項５】
無線パラメータの組み合わせの第１のセットを示す情報を受信する受信部と、
該無線パラメータの組み合わせの第１のセットと、自身でサポートする無線パラメータの組み合わせの第２のセットと、を比較することにより、前記第１のセットと前記第２のセットとの間で共通な無線パラメータの１又は複数の組み合わせを抽出する制御部と、
前記抽出された無線パラメータの１又は複数の組み合わせを適用してデータ送信を行う送信部と、
を備える通信装置。
【請求項６】
第１の通信装置でサポートされている無線パラメータの組み合わせの第１のセットを示す情報と、第２の通信装置でサポートされている無線パラメータの組み合わせの第２のセットを示す情報と、を受信する受信部と、
前記無線パラメータの組み合わせの第１のセットと、前記無線パラメータの組み合わせの第２のセットと、を比較することにより、前記第１のセットと前記第２のセットとの間で共通な無線パラメータの組み合わせの第３のセットを抽出する制御部と、
前記無線パラメータの組み合わせの第３のセットを示す情報を送信する送信部と、
を備える基地局装置。
【発明の詳細な説明】
【技術分野】
【０００１】
本発明は、無線通信システムにおける通信装置に関連するものである。
【背景技術】
【０００２】
ＬＴＥ（Ｌｏｎｇ  Ｔｅｒｍ  Ｅｖｏｌｕｔｉｏｎ）及びＬＴＥの後継システム（例えば、ＬＴＥ−Ａ（ＬＴＥ  Ａｄｖａｎｃｅｄ）、ＮＲ（Ｎｅｗ  Ｒａｄｉｏ）（５Ｇとも呼ぶ））では、ＵＥ等の通信装置同士が基地局を介さないで直接通信を行うサイドリンク（Ｄ２Ｄ（Ｄｅｖｉｃｅ  ｔｏ  Ｄｅｖｉｃｅ）とも呼ぶ）技術が検討されている（非特許文献１）。【０００３】
また、Ｖ２Ｘ（Ｖｅｈｉｃｌｅ  ｔｏ  Ｅｖｅｒｙｔｈｉｎｇ）を実現することが検討され、仕様化が進められている。ここで、Ｖ２Ｘとは、ＩＴＳ（Ｉｎｔｅｌｌｉｇｅｎｔ  Ｔｒａｎｓｐｏｒｔ  Ｓｙｓｔｅｍｓ）の一部であり、図１に示すように、自動車間で行われる通信形態を意味するＶ２Ｖ（Ｖｅｈｉｃｌｅ  ｔｏ  Ｖｅｈｉｃｌｅ）、自動車と道路脇に設置される路側機（ＲＳＵ：Ｒｏａｄ−Ｓｉｄｅ  Ｕｎｉｔ）との間で行われる通信形態を意味するＶ２Ｉ（Ｖｅｈｉｃｌｅ  ｔｏ  Ｉｎｆｒａｓｔｒｕｃｔｕｒｅ）、自動車とドライバーのモバイル端末との間で行われる通信形態を意味するＶ２Ｎ（Ｖｅｈｉｃｌｅ  ｔｏ  Ｎｏｍａｄｉｃ  ｄｅｖｉｃｅ）、及び、自動車と歩行者のモバイル端末との間で行われる通信形態を意味するＶ２Ｐ（Ｖｅｈｉｃｌｅ  ｔｏ  Ｐｅｄｅｓｔｒｉａｎ）の総称である。
【先行技術文献】
【非特許文献】
【０００４】
【非特許文献１】３ＧＰＰ  ＴＳ  ３８．２１３  Ｖ１５．１．０  （２０１８−０３）
【非特許文献２】３ＧＰＰ  ＴＳ  ３８．２１１  Ｖ１５．１．０  （２０１８−０３）
【非特許文献３】３ＧＰＰ  ＴＳＧ  ＲＡＮ  Ｍｅｅｔｉｎｇ  ＃８０、ＰＲ−１８１４２９、Ｌａ  Ｊｏｌｌａ、ＵＳＡ、Ｊｕｎｅ  １１ｔｈ−１４ｔｈ、２０１８
【発明の概要】
【発明が解決しようとする課題】
【０００５】
セルラ通信の上りリンク及び下りリンクでは、通信装置の通信相手は基地局のみとなるので、通信装置は、無線パラメータの組み合わせを一律に決定することができる。サイドリンクの通信では、通信相手によって対応可能なＮｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせが異なるため、送受信時に用いる、Ｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせを一律に設定すると、設定された無線パラメータの組み合わせに対応できないユーザ装置は、通信することができなくなってしまう可能性がある。【０００６】
サイドリンクで通信する送信先と受信先の双方で対応可能な無線パラメータの組み合わせを選択する方法が必要とされている。
【課題を解決するための手段】
【０００７】
本発明の一態様によれば、無線パラメータの組み合わせの第１のセットを示す情報を受信する受信部と、該無線パラメータの組み合わせの第１のセットと、自身でサポートする無線パラメータの組み合わせの第２のセットと、に基づいて、前記第１のセットと前記第２のセットとの間で共通な無線パラメータの組み合わせの第３のセットを抽出する制御部と、該無線パラメータの組み合わせの第３のセットを示す情報を送信する送信部と、を備える通信装置が提供される。
【発明の効果】
【０００８】
開示の技術によれば、サイドリンクで通信する送信先と受信先の双方で対応可能な無線パラメータの組み合わせを選択する方法が提供される。
【図面の簡単な説明】
【０００９】
【図１】Ｖ２Ｘを説明するための図である。
【図２Ａ】サイドリンクを説明するための図である。
【図２Ｂ】サイドリンクを説明するための図である。
【図３】サイドリンク通信に用いられるＭＡＣ  ＰＤＵを説明するための図である。
【図４】ＳＬ−ＳＣＨ  ｓｕｂｈｅａｄｅｒのフォーマットを説明するための図である。
【図５】サイドリンクで使用されるチャネル構造の例を説明するための図である。
【図６】実施の形態に係る無線通信システムの構成例を示す図である。
【図７】通信装置のリソース選択動作を説明するための図である。
【図８】Ｂａｎｄｗｉｄｔｈ  ｐａｒｔ  ｏｐｅｒａｔｉｏｎの例を説明するための図である。
【図９】Ｌｏｎｇ−ＰＵＣＣＨ  ｆｏｒｍａｔ及びＳｈｏｒｔ−ＰＵＣＣＨ  ｆｏｒｍａｔの例を示す図である。
【図１０】動作例１を説明するための図である。
【図１１】無線パラメータの組み合わせに対してインデックスを割り当てる例を示す図である。
【図１２】無線パラメータの組み合わせに対してインデックスを割り当てる他の例を示す図である。
【図１３】動作例２を説明するための図である。
【図１４】動作例３を説明するための図である。
【図１５】実施の形態に係る基地局１０の機能構成の一例を示す図である。
【図１６】実施の形態に係る通信装置２０の機能構成の一例を示す図である。
【図１７】実施の形態に係る基地局１０及び通信装置２０のハードウェア構成の一例を示す図である。
【発明を実施するための形態】
【００１０】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１１】
本実施の形態における通信装置間の直接通信の方式はＬＴＥあるいはＮＲのサイドリンク（ＳＬ（Ｓｉｄｅｌｉｎｋ））であることを想定しているが、直接通信の方式は当該方式に限られない。また、「サイドリンク」という名称は一例であり、「サイドリンク」という名称が使用されずに、ＵＬ（Ｕｐｌｉｎｋ）が、ＳＬの機能を含むこととしてもよい。ＳＬは、ＤＬ（Ｄｏｗｎｌｉｎｋ）又はＵＬと周波数又は時間リソースの違いによって区別されてもよく、他の名称であってもよい。
【００１２】
また、ＵＬとＳＬとが、時間リソース、周波数リソース、時間・周波数リソース、送信電力制御においてＰａｔｈｌｏｓｓを決定するために参照する参照信号、同期するために使用する参照信号（ＰＳＳＳ／ＳＳＳＳ）のいずれか１つ又はいずれか複数の組み合わせの違いによって区別されてもよい。
【００１３】
例えば、ＵＬでは、送信電力制御においてＰａｔｈｌｏｓｓを決定するために参照する参照信号として、アンテナポートＸの参照信号を使用し、ＳＬ（ＳＬとして使用するＵＬを含む）では、送信電力制御においてＰａｔｈｌｏｓｓを決定するために参照する参照信号として、アンテナポートＹの参照信号を使用する。
【００１４】
また、本実施の形態では、通信装置が車両に搭載される形態を主に想定しているが、本発明の実施形態は、この形態に限定されない。例えば、通信装置は人が保持する端末であってもよいし、通信装置がドローンあるいは航空機に搭載される装置であってもよいし、通信装置が基地局、ＲＳＵ、中継局等であってもよい。
【００１５】
（サイドリンクの概要）
本実施の形態では、サイドリンクを基本技術とすることから、まず、基本的な例として、サイドリンクの概要について説明する。ここで説明する技術の例は３ＧＰＰのＲｅｌ．１４等で規定されている技術である。当該技術は、ＮＲにおいて使用されてもよいし、ＮＲでは、当該技術と異なる技術が使用されてもよい。
【００１６】
サイドリンクには、大きく分けて「ディスカバリ」と「コミュニケーション」がある。「ディスカバリ」については、図２Ａに示すように、Ｄｉｓｃｏｖｅｒｙ  ｐｅｒｉｏｄ毎に、Ｄｉｓｃｏｖｅｒｙメッセージ用のリソースプールが設定（ｃｏｎｆｉｇｕｒｅｄ）され、通信装置（ＵＥと称される）はそのリソースプール内でＤｉｓｃｏｖｅｒｙメッセージ（発見信号）を送信する。より詳細にはＴｙｐｅ１、Ｔｙｐｅ２ｂがある。Ｔｙｐｅ１では、通信装置が自律的にリソースプールから送信リソースを選択する。Ｔｙｐｅ２ｂでは、上位レイヤシグナリング（例えばＲＲＣ信号）により準静的なリソースが割り当てられる。
【００１７】
「コミュニケーション」についても、図２Ｂに示すように、ＳＣＩ（Ｓｉｄｅｌｉｎｋ  Ｃｏｎｔｒｏｌ  Ｉｎｆｏｒｍａｔｉｏｎ）／データ送信用のリソースプールが周期的に設定される。送信側の通信装置はＣｏｎｔｒｏｌリソースプール（ＰＳＣＣＨリソースプール）から選択されたリソースでＳＣＩによりデータ送信用リソース（ＰＳＳＣＨリソースプール）等を受信側に通知し、当該データ送信用リソースでデータを送信する。「コミュニケーション」について、より詳細には、モード１とモード２がある。モード１では、基地局から通信装置に送られる（Ｅ）ＰＤＣＣＨ（（Ｅｎｈａｎｃｅｄ）  Ｐｈｙｓｉｃａｌ  Ｄｏｗｎｌｉｎｋ  Ｃｏｎｔｒｏｌ  Ｃｈａｎｎｅｌ）によりダイナミックにリソースが割り当てられる。モード２では、通信装置はリソースプールから自律的に送信リソースを選択する。リソースプールについては、ＳＩＢで通知される等、予め定義されたものが使用される。
【００１８】
また、Ｒｅｌ−１４では、モード１とモード２に加えて、モード３とモード４がある。Ｒｅｌ−１４では、ＳＣＩとデータとを同時に（１サブフレームで）、周波数方向に隣接したリソースブロックで送信することが可能である。なお、ＳＣＩをＳＡ（ｓｃｈｅｄｕｌｉｎｇ  ａｓｓｉｇｎｍｅｎｔ）と称する場合がある。
【００１９】
「ディスカバリ」に用いられるチャネルはＰＳＤＣＨ（Ｐｈｙｓｉｃａｌ  Ｓｉｄｅｌｉｎｋ  Ｄｉｓｃｏｖｅｒｙ  Ｃｈａｎｎｅｌ）と称され、「コミュニケーション」におけるＳＣＩ等の制御情報を送信するチャネルはＰＳＣＣＨ（Ｐｈｙｓｉｃａｌ  Ｓｉｄｅｌｉｎｋ  Ｃｏｎｔｒｏｌ  Ｃｈａｎｎｅｌ）と称され、データを送信するチャネルはＰＳＳＣＨ（Ｐｈｙｓｉｃａｌ  Ｓｉｄｅｌｉｎｋ  Ｓｈａｒｅｄ  Ｃｈａｎｎｅｌ）と称される。ＰＳＣＣＨとＰＳＳＣＨはＰＵＳＣＨベースの構造を有し、ＤＭＲＳ（Ｄｅｍｏｄｕｌａｔｉｏｎ  Ｒｅｆｅｒｅｎｃｅ  Ｓｉｇｎａｌ、復調参照信号）が挿入される構造になっている。
【００２０】
サイドリンクに用いられるＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）は、図３に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Ｓｅｒｖｉｃｅ  Ｄａｔａ  Ｕｎｉｔ）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Ｓｉｄｅｌｉｎｋ  Ｓｈａｒｅｄ  Ｃｈａｎｎｅｌ）ｓｕｂｈｅａｄｅｒと、１つ以上のＭＡＣ  ＰＤＵ  ｓｕｂｈｅａｄｅｒで構成される。
【００２１】
図４に示すように、ＳＬ−ＳＣＨ  ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ  ｓｕｂｈｅａｄｅｒの先頭に割り当てられ、通信装置が用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２２】
サイドリンクのチャネル構造の例を図５に示す。図５に示すように、「コミュニケーション」に使用されるＰＳＣＣＨのリソースプール及びＰＳＳＣＨのリソースプールが割り当てられている。また、「コミュニケーション」のチャネルの周期よりも長い周期で「ディスカバリ」に使用されるＰＳＤＣＨのリソースプールが割り当てられている。
【００２３】
また、サイドリンク用の同期信号としてＰＳＳＳ（Ｐｒｉｍａｒｙ  Ｓｉｄｅｌｉｎｋ  Ｓｙｎｃｈｒｏｎｉｚａｔｉｏｎ  ｓｉｇｎａｌ）とＳＳＳＳ（Ｓｅｃｏｎｄａｒｙ  Ｓｉｄｅｌｉｎｋ  Ｓｙｎｃｈｒｏｎｉｚａｔｉｏｎ  ｓｉｇｎａｌ）が用いられる。また、例えばカバレッジ外動作のためにサイドリンクのシステム帯域、フレーム番号、リソース構成情報等のブロードキャスト情報（ｂｒｏａｄｃａｓｔ  ｉｎｆｏｒｍａｔｉｏｎ）を送信するＰＳＢＣＨ（Ｐｈｙｓｉｃａｌ  Ｓｉｄｅｌｉｎｋ  Ｂｒｏａｄｃａｓｔ  Ｃｈａｎｎｅｌ）が用いられる。ＰＳＳＳ／ＳＳＳＳ及びＰＳＢＣＨは、例えば、１つのサブフレームで送信される。ＰＳＳＳ／ＳＳＳＳをＳＬＳＳと称してもよい。
【００２４】
なお、本実施の形態で想定しているＶ２Ｘは、「コミュニケーション」に係る方式である。ただし、本実施の形態では、「コミュニケーション」と「ディスカバリ」の区別が存在しないこととしてもよい。また、本実施の形態に係る技術が、「ディスカバリ」で適用されてもよい。
【００２５】
（システム構成）
図６は、本実施の形態に係る無線通信システムの構成例を示す図である。図６に示すように、本実施の形態に係る無線通信システムは、基地局１０、通信装置２０Ａ、及び通信装置２０Ｂを有する。なお、実際には多数の通信装置が存在し得るが、図６は例として通信装置２０Ａ、及び通信装置２０Ｂを示している。
【００２６】
図６において、通信装置２０Ａは送信側、通信装置２０Ｂは受信側を意図しているが、通信装置２０Ａと通信装置２０Ｂはいずれも送信機能と受信機能の両方を備える。以下、通信装置２０Ａ、２０Ｂ等を特に区別しない場合、単に「通信装置２０」あるいは「通信装置」と記述する。図６では、一例として通信装置２０Ａと通信装置２０Ｂがともにカバレッジ内にある場合を示しているが、本実施の形態における動作は、全部の通信装置２０がカバレッジ内にある場合と、一部の通信装置２０がカバレッジ内にあり、他方の通信装置２０がカバレッジ外にある場合と、全部の通信装置２０がカバレッジ外にある場合のいずれにも適用できる。
【００２７】
本実施の形態において、通信装置２０は、例えば、自動車等の車両に搭載された装置であり、ＬＴＥあるいはＮＲにおけるＵＥとしてのセルラ通信の機能、及び、サイドリンク機能を有している。更に、通信装置２０は、ＧＰＳ装置、カメラ、各種センサ等、報告情報（位置、イベント情報等）を取得する機能を含む。また、通信装置２０が、一般的な携帯端末（スマートフォン等）であってもよい。また、通信装置２０が、ＲＳＵであってもよい。当該ＲＳＵは、ＵＥの機能を有するＵＥタイプＲＳＵであってもよいし、基地局の機能を有するｇＮＢタイプＲＳＵ（ｇＮＢタイプＵＥと呼ばれてもよい）、又は中継局であってもよい。
【００２８】
なお、通信装置２０は１つの筐体の装置である必要はなく、例えば、各種センサが車両内に分散して配置される場合でも、当該各種センサを含めた装置が通信装置２０である。また、通信装置２０は各種センサを含まずに、各種センサとデータを送受信する機能を備えることとしてもよい。
【００２９】
また、通信装置２０のサイドリンクの送信の処理内容は基本的には、ＬＴＥあるいはＮＲでのＵＬ送信の処理内容と同様である。例えば、通信装置２０は、送信データのコードワードをスクランブルし、変調してｃｏｍｐｌｅｘ−ｖａｌｕｅｄ  ｓｙｍｂｏｌｓを生成し、当該ｃｏｍｐｌｅｘ−ｖａｌｕｅｄ  ｓｙｍｂｏｌｓ（送信信号）を１又は２レイヤにマッピングし、プリコーディングを行う。そして、ｐｒｅｃｏｄｅｄ  ｃｏｍｐｌｅｘ−ｖａｌｕｅｄ  ｓｙｍｂｏｌｓをリソースエレメントにマッピングして、送信信号（例：ｃｏｍｐｌｅｘ−ｖａｌｕｅｄ  ｔｉｍｅ−ｄｏｍａｉｎ  ＣＰ−ＯＦＤＭ、ＤＦＴ−ｓ−ＯＦＤＭ）を生成し、各アンテナポートから送信する。
【００３０】
また、基地局１０については、ＬＴＥあるいはＮＲにおける基地局１０としてのセルラ通信の機能、及び、本実施の形態における通信装置２０の通信を可能ならしめるための機能（例：リソースプール設定、リソース割り当て等）を有している。また、基地局１０は、ＲＳＵ（ｇＮＢタイプＲＳＵ）、または中継局であってもよい。
【００３１】
また、本実施の形態に係る無線通信システムにおいて、通信装置２０がＳＬあるいはＵＬに使用する信号波形は、ＯＦＤＭＡであってもよいし、ＳＣ−ＦＤＭＡであってもよいし、その他の信号波形であってもよい。また、本実施の形態に係る無線通信システムにおいては、一例として、時間方向には、複数のサブフレーム（例：１０個のサブフレーム）からなるフレームが形成され、周波数方向は複数のサブキャリアからなる。１サブフレームは１送信時間間隔（ＴＴＩ：Ｔｒａｎｓｍｉｓｓｉｏｎ  Ｔｉｍｅ  Ｉｎｔｅｒｖａｌ）の一例である。ただし、ＴＴＩは、サブフレームであるとは限らない。例えば、ＴＴＩは、ｓｌｏｔ又はｍｉｎｉ−ｓｌｏｔ、その他の時間領域の単位であってもよい。サブフレーム以外の時間長が送信時間間隔として使用されてもよい。また、サブキャリア間隔に応じて、１サブフレームあたりのスロット数が定まることとしてもよい。また、１スロットあたりのシンボル数が１４シンボルであってもよい。
【００３２】
本実施の形態では、通信装置２０は、基地局１０から通信装置に送られる（Ｅ）ＰＤＣＣＨ（（Ｅｎｈａｎｃｅｄ）Ｐｈｙｓｉｃａｌ  Ｄｏｗｎｌｉｎｋ  Ｃｏｎｔｒｏｌ  Ｃｈａｎｎｅｌ）によりダイナミックにリソースが割り当てられるモードであるモード１、通信装置が自律的にリソースプールから送信リソースを選択するモードであるモード２、自律的にＳＬ信号送信のためのリソースを選択するモード（以降、モード４と呼ぶ）、基地局１０からＳＬ信号送信のためのリソースが割り当てられるモード（以降、モード３と呼ぶ）のいずれのモードも取り得る。モードは、例えば、基地局１０から通信装置２０に設定される。
【００３３】
図７に示すように、モード４の通信装置（図７ではＵＥとして示す）は、同期した共通の時間・周波数グリッドから無線のリソースを選択する。例えば、通信装置２０は、バックグラウンドでセンシングを行って、センシング結果の良好なリソースであって、他の通信装置に予約されていないリソースを候補リソースとして特定し、候補リソースから送信に使用するリソースを選択する。
【００３４】
３ＧＰＰのＲｅｌｅａｓｅ  １５  ＮＲでは、端末が送受信する帯域幅を動的に切り替えるＢａｎｄｗｉｄｔｈ  ｐａｒｔ  ｏｐｅｒａｔｉｏｎが規定されている（非特許文献１）。Ｂａｎｄｗｉｄｔｈ  ｐａｒｔとは、隣接する共通リソースブロックのサブセットのことを言う。
【００３５】
下りリンクにおいて、ユーザ装置（ＵＥ）に対して最大で４つのｂａｎｄｗｉｄｔｈ  ｐａｒｔを設定することが可能である。この場合、各時間において単一の下りリンクのｂａｎｄｗｉｄｔｈ  ｐａｒｔが有効となる。ＵＥは、有効であるｂａｎｄｗｉｄｔｈ  ｐａｒｔ内で、ＰＤＳＣＨ（Ｐｈｙｓｉｃａｌ  Ｄｏｗｎｌｉｎｋ  Ｓｈａｒｅｄ  Ｃｈａｎｎｅｌ）、ＰＤＣＣＨ、又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を受信する。すなわち、ｂａｎｄｗｉｄｔｈ  ｐａｒｔ外では、ＰＤＳＣＨ、ＰＤＣＣＨ、及びＣＳＩ−ＲＳは送信されないことが想定されている（非特許文献２）。
【００３６】
また、上りリンクにおいて、ＵＥに対して最大で４つのｂａｎｄｗｉｄｔｈ  ｐａｒｔを設定することが可能である。この場合、各時間において単一の上りリンクのｂａｎｄｗｉｄｔｈ  ｐａｒｔが有効となる。ＵＥに対して補助の上りリンク（Ｓｕｐｐｌｅｍｅｎｔａｒｙ  ｕｐｌｉｎｋ、ＳＵＬ）が設定される場合、当該補助の上りリンクにおいて、ＵＥに対して追加的に最大で４つのｂａｎｄｗｉｄｔｈ  ｐａｒｔを設定することが可能である。この場合、各時間において単一の追加的な上りリンクのｂａｎｄｗｉｄｔｈ  ｐａｒｔが有効となる。ＵＥは、有効なｂａｎｄｗｉｄｔｈ  ｐａｒｔ外では、ＰＵＳＣＨ及びＰＵＣＣＨを送信しない。すなわち、ＵＥは、有効なｂａｎｄｗｉｄｔｈ  ｐａｒｔ内で、ＰＵＳＣＨ又はＰＵＣＣＨを送信する。
【００３７】
Ｂａｎｄｗｉｄｔｈ  ｐａｒｔ  ｏｐｅｒａｔｉｏｎの例を図８に示す。例えば、初期接続（ｉｎｉｔｉａｌ−ａｃｃｅｓｓ）の際に、ＵＥは、初期接続に必要となる最小限の帯域幅（ＢＷ）のみを認識しており、この最小限の帯域幅において、基地局と通信を行う。例えば、図８の例において、ＵＥは、Ｂａｎｄｗｉｄｔｈ  ｐａｒｔ  （ＢＷＰ）＃０を介して基地局と通信を行う。
【００３８】
その後、ＵＥは、ＰＤＣＣＨをモニタし、ＰＤＣＣＨを介して基地局から送信される下り制御情報（ＤＣＩ）を受信する。この際に、ＤＣＩには、Ｂａｎｄｗｉｄｔｈ  ｐａｒｔを指定するインデックスが含まれている。例えば、図８に示す例において、ＤＣＩにはＢＷＰ＃１を指定するインデックスが含まれている。受信したＤＣＩに応答して、受信したＤＣＩで指定される受信のタイミングにおいて、ＵＥは、ＢＷＰ＃１を有効化（ａｃｔｉｖａｔｅ）して、ＢＷＰ＃１を介して基地局と通信を行う。
【００３９】
有効化されたＢＷＰの無効化（ｄｅａｃｔｉｖａｔｅ）には、タイマが使用される。図８の例では、タイマが満了した際にＢＷＰ＃１が無効化され、次の受信タイミングではデフォルトのｂａｎｄｗｉｄｔｈ  ｐａｒｔであるＢＷＰ＃０が有効化される。
【００４０】
このように、３ＧＰＰのリリース１５で規定されるＮＲにおけるｂａｎｄｗｉｄｔｈ  ｐａｒｔ  ｏｐｅｒａｔｉｏｎによれば、システムで規定されている最大の帯域幅よりも狭い帯域幅で動作可能なＵＥによる通信をサポートすることができる。この場合のｂａｎｄｗｉｄｔｈ  ｐａｒｔ  ｏｐｅｒａｔｉｏｎは、基地局とユーザ装置との間の上りリンク（ｕｐｌｉｎｋ）の通信及び下りリンク（ｄｏｗｎｌｉｎｋ）の通信に対して規定されている。
【００４１】
現在、３ＧＰＰでは、リリース１６の技術仕様の策定が進められている。上記のようなｂａｎｄｗｉｄｔｈ  ｐａｒｔ  ｏｐｅｒａｔｉｏｎをＳｉｄｅｌｉｎｋにも適用する議論が行われており、Ｓｉｄｅｌｉｎｋにおいても、ｂａｎｄｗｉｄｔｈ  ｐａｒｔが規定される可能性がある。
【００４２】
３ＧＰＰのリリース１６のＶ２ＸのＳｔｕｄｙ  Ｉｔｅｍ（非特許文献３）には、ＮＲのｓｉｄｅｌｉｎｋ  ｄｅｓｉｇｎが含まれている。このため、上述のｂａｎｄｗｉｄｔｈ  ｐａｒｔだけでなく、３ＧＰＰのリリース１５のＮＲのＤＬ／ＵＬに対して新たに導入された技術がサイドリンクに適用されることが想定される。以下、３ＧＰＰのリリース１５のＮＲのＤＬ／ＵＬに対して新たに導入された技術の例として、Ｍｕｌｔｉ−ｎｕｍｅｒｏｌｏｇｙ及びＤｙｎａｍｉｃ  ＴＤＤについて概要を説明する。
【００４３】
＜Ｍｕｌｔｉ−ｎｕｍｅｒｏｌｏｇｙ＞
５Ｇにおける幅広い周波数やユースケースをサポートするためには、複数のＮｕｍｅｒｏｌｏｇｙ（サブキャリア間隔やシンボル長等の無線パラメータ）をサポートする必要がある。このため、ＬＴＥのＮｕｍｅｒｏｌｏｇｙを基準として、スケーラブルに可変パラメータを設計することが有効である。この考え方の下で、ＮＲのＭｕｌｔｉ−Ｎｕｍｅｒｏｌｏｇｙが導入されている。具体的には、基準サブキャリア間隔は、ＬＴＥのサブキャリア間隔と同じで、１５ｋＨｚとされている。基準サブキャリア間隔に２のべき乗を乗算することで、その他のサブキャリア間隔が規定されている。
【００４４】
非特許文献２によれば、複数のＯＦＤＭ  ｎｕｍｅｒｏｌｏｇｙ、すなわち、サブキャリア間隔構成（ｓｕｂｃａｒｒｉｅｒ  ｓｐａｃｉｎｇ  ｃｏｎｆｉｇｕｒａｔｉｏｎ）μが規定されている。具体的には、μ＝０、１、２、３、４に対してサブキャリア間隔Δｆ＝１５ｋＨｚ、３０ｋＨｚ、６０ｋＨｚ、１２０ｋＨｚ、２４０ｋＨｚが規定されている。
【００４５】
ここで、非特許文献２のＴａｂｌｅ４．３．２−１によれば、サブキャリア間隔構成μ＝０、１、２、３、４のいずれに対しても、１つのスロットに含まれるＯＦＤＭシンボルの数は、１４とされている。しかしながら、サブキャリア間隔構成μ＝０、１、２、３、４に対して、１フレームに含まれるスロット数は、１０、２０、４０、８０、１６０であり、かつ１サブフレームに含まれるスロット数は、１、２、４、８、１６となっている。ここで、フレームの長さは、１０ｍｓなので、サブキャリア間隔構成μ＝０、１、２、３、４に対して、スロット長は、１ｍｓ、０．５ｍｓ、０．２５ｍｓ、０．１２５ｍｓ、０．０６２５ｍｓとなっていることがわかる。サブキャリア間隔構成μ＝０、１、２、３、４のいずれに対しても、１つのスロットに含まれるＯＦＤＭシンボルの数は、１４なので、サブキャリア間隔構成毎にＯＦＤＭシンボル長が異なっていることがわかる。サブキャリア間隔構成μ＝０、１、２、３、４に対して、ＯＦＤＭシンボル長は、（１／１４）ｍｓ、（０．５／１４）ｍｓ、（０．２５／１４）ｍｓ、（０．１２５／１４）ｍｓ、（０．０６２５／１４）ｍｓとなる。このように、スロット長及びＯＦＤＭシンボル長を短くすることで、低遅延の通信を実現することができる。
【００４６】
＜Ｄｙｎａｍｉｃ  ＴＤＤ＞
ＬＴＥと同様にＮＲでは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の両方がサポートされている。特に、ＴＤＤでは、効率的なトラフィック収容のため、通信方向（ＵＬ／ＤＬ）を時間領域（又は周波数領域）でダイナミックに切り替える、ｄｙｎａｍｉｃ  ＴＤＤ  （ｆｌｅｘｉｂｌｅ  ｄｕｐｌｅｘ）がサポートされている。
【００４７】
ＬＴＥのＴＤＤでは、通信方向は、ＵＬ／ＤＬ  ｃｏｎｆｉｇｕｒａｔｉｏｎにより、ｓｔａｔｉｃ／ｓｅｍｉ−ｓｔａｔｉｃに設定される。これに対して、ＮＲのＴＤＤでは、セル内のトラフィック状況に応じて通信方向をダイナミックに切り替える。
【００４８】
非特許文献２のＴａｂｌｅ４．３．２−３には、様々なスロットフォーマット（ｓｌｏｔ  ｆｏｒｍａｔ）が規定されている。非特許文献２によれば、１スロット内のＯＦＤＭシンボルは、下りリンク（Ｔａｂｌｅ４．３．２−３ではＤと記載される）、フレキシブル（Ｔａｂｌｅ４．３．２−３ではＸと記載される）、又は上りリンク（Ｔａｂｌｅ４．３．２−３ではＵと記載される）に分類される。Ｔａｂｌｅ４．３．２−３に示されるように、ＮＲのスロットフォーマットにおいて、ＤＬとＵＬの割り当ては、シンボル単位で行われる。これに対して、ＬＴＥの場合、ＵＬ・ＤＬ割り当ては、サブフレーム単位で行われている。
【００４９】
フレームに含まれる複数のスロットのうちの各スロットに対して、Ｔａｂｌｅ４．３．２−３に示されるいずれかのスロットフォーマットを割り当てるための割り当て情報のシグナリングにより、通信方向（ＵＬ／ＤＬ）を時間領域（又は周波数領域）でダイナミックに切り替える、ｄｙｎａｍｉｃ  ＴＤＤ（ｆｌｅｘｉｂｌｅ  ＴＤＤ）を実現することができる。
【００５０】
上記の技術以外にも、例えば、図９に示すように、３ＧＰＰのリリース１５のＵＬでは、ｓｈｏｒｔ−ＰＵＣＣＨフォーマット及びｌｏｎｇ−ＰＵＣＣＨフォーマットが導入されている。
【００５１】
サイドリンクの通信では、通信相手によって対応可能なＮｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせが異なるため、送受信時に用いる、Ｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせを一律に設定すると、設定された無線パラメータの組み合わせに対応できないユーザ装置は、通信することができなくなってしまう可能性がある。
【００５２】
サイドリンクで通信する送信先と受信先との間で、対応可能な無線パラメータの組み合わせの情報を共有した上で、送信先と受信先の双方で対応可能な無線パラメータの組み合わせを選択することにより、上述の問題を解決することができる。以下では、そのような解決方法の具体例を示す。
【００５３】
まず、具体例を説明する上での前提として、通信装置２０Ａ及び通信装置２０Ｂは、サイドリンクで相互に通信可能であると仮定する。さらに、具体例を説明する上での前提として、通信装置２０Ａは通信装置２０ＢにＰＳＢＣＨ（Ｐｈｙｓｉｃａｌ  Ｓｉｄｅｌｉｎｋ  Ｂｒｏａｄｃａｓｔ  Ｃｈａｎｎｅｌ）、ＰＳＣＣＨ（Ｐｈｙｓｉｃａｌ  Ｓｉｄｅｌｉｎｋ  Ｃｏｎｔｒｏｌ  Ｃｈａｎｎｅｌ）、ＰＳＳＣＨ（Ｐｈｙｓｉｃａｌ  Ｓｉｄｅｌｉｎｋ  Ｓｈａｒｅｄ  Ｃｈａｎｎｅｌ）のいずれか又は複数を介してデータを送信しようとしていると仮定する。なお、以下の例１及び例２において、通信装置２０Ａと通信装置２０Ｂとの間で通知される無線パラメータの組み合わせとしては、ｎｕｍｅｒｏｌｏｇｙ、Ｂａｎｄｗｉｄｔｈ  Ｐａｒｔ、ｓｌｏｔ  ｌｅｎｇｔｈ、ＰＲＢ（Ｐｈｙｓｉｃａｌ  Ｒｅｓｏｕｒｃｅ  Ｂｌｏｃｋ）ｌｏｃａｔｉｏｎ、Ｓｕｂｃａｒｒｉｅｒ  ｓｐａｃｉｎｇ、Ｃｙｃｌｉｃ  ｐｒｅｆｉｘ等が考えられる。また、例３において、通信装置２０Ａと基地局１０との間、通信装置２０Ｂと基地局１０との間、通信装置２０Ａと通信装置２０Ｂとの間で通知される無線パラメータの組み合わせとしは、ｎｕｍｅｒｏｌｏｇｙ、Ｂａｎｄｗｉｄｔｈ  Ｐａｒｔ、ｓｌｏｔ  ｌｅｎｇｔｈ、ＰＲＢ（Ｐｈｙｓｉｃａｌ  Ｒｅｓｏｕｒｃｅ  Ｂｌｏｃｋ）ｌｏｃａｔｉｏｎ、Ｓｕｂｃａｒｒｉｅｒ  ｓｐａｃｉｎｇ、Ｃｙｃｌｉｃ  ｐｒｅｆｉｘ等が考えられる。しかしながら、通知される無線パラメータの組み合わせは、これらのパラメータには限定されず、他の無線パラメータ（例えば、ＭＣＳ（Ｍｏｄｕｌａｔｉｏｎ  ａｎｄ  Ｃｏｄｉｎｇ  Ｓｃｈｅｍｅ））が含まれてもよい。
【００５４】
（例１）
図１０に示されるように、通信装置２０Ａは、通信装置２０Ａが対応可能なｎｕｍｅｒｏｌｏｇｙ、Ｂａｎｄｗｉｄｔｈ  Ｐａｒｔ、ｓｌｏｔ  ｌｅｎｇｔｈ、ＰＲＢ（Ｐｈｙｓｉｃａｌ  Ｒｅｓｏｕｒｃｅ  Ｂｌｏｃｋ）  ｌｏｃａｔｉｏｎ、Ｓｕｂｃａｒｒｉｅｒ  ｓｐａｃｉｎｇ、Ｃｙｃｌｉｃ  ｐｒｅｆｉｘ等の無線パラメータの１又は複数の組み合わせをサイドリンクで通信装置２０Ｂに通知する（ステップＳ１０１）。通信装置２０Ｂは、通信装置２０Ａから受信したｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせの中から通信装置２０Ｂが対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせの中で、通信装置２０Ａとの通信に使用可能であると考えられるｎｕｍｅｒｏｌｏｇｙ、Ｂａｎｄｗｉｄｔｈ  Ｐａｒｔ、ｓｌｏｔ  ｌｅｎｇｔｈ等の無線パラメータの１つ又は複数の組み合わせを選択して、通信装置２０Ａに通知する（Ｓ１０２）。通信装置２０Ａは、通信装置２０Ｂから受信したｎｕｍｅｒｏｌｏｇｙ、Ｂａｎｄｗｉｄｔｈ  Ｐａｒｔ、ｓｌｏｔ  ｌｅｎｇｔｈ等の無線パラメータの１つ又は複数の組み合わせの中から１つの無線パラメータの組み合わせを選択して、選択した無線パラメータの組み合わせを通信装置２０Ｂへのデータの送信に適用する（Ｓ１０３）。
【００５５】
以下、図１０に示される手順の詳細を説明する。ここで、端末がサイドリンクの通信で対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせは、その端末のＳＬ  ｃａｐａｂｉｌｉｔｙと呼ばれてもよい。ここで、「ＳＬ」としたのは、ＳＬ  ｃａｐａｂｉｌｉｔｙが、通常のＵＥ  ｃａｐａｂｉｌｉｔｙとは異なり、ＵＥのサイドリンク通信に関する端末間でやりとりされるｃａｐａｂｉｌｉｔｙであることを示すためである。
【００５６】
ステップＳ１０１で通信装置２０Ａが、通信装置２０Ａにおいて対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通信装置２０Ｂに通知する際には、通信装置２０Ａ及び通信装置２０Ｂは、互いのＳＬ  ｃａｐａｂｉｌｉｔｙを認識していない。したがって、ステップＳ１０１のｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせの送信の際、通信装置２０Ａはｎｕｍｅｒｏｌｏｇｙ、Ｂａｎｄｗｉｄｔｈ  Ｐａｒｔ、ｓｌｏｔ  ｌｅｎｇｔｈ等のデフォルトの無線パラメータの組み合わせ（Ｄｅｆａｕｌｔ  ｆｏｒｍａｔ、Ｄｅｆａｕｌｔ  ｐａｒａｍｅｔｅｒ）を使用することができる。
【００５７】
このデフォルトの無線パラメータの組み合わせは、基地局から指示されてもよい（基地局から指示されると想定（ａｓｓｕｍｅ）されてもよい）。基地局は、このデフォルトの無線パラメータの組み合わせを、ＰＢＣＨ（Ｐｈｙｓｉｃａｌ  Ｂｒｏａｄｃａｓｔ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＤＳＣＨ（Ｐｈｙｓｉｃａｌ  Ｄｏｗｎｌｉｎｋ  Ｓｈａｒｅｄ  Ｃｈａｎｎｅｌ）のいずれか又は組み合わせを介して送信されるＤＬ信号（物理レイヤの信号、ＭＡＣレイヤの信号、ＲＲＣレイヤの信号のいずれであってもよい）により通信装置２０Ａに通知してもよい。或いは、このデフォルトの無線パラメータの組み合わせは仕様により定められてもよい。
【００５８】
また、ステップＳ１０１で通信装置２０Ａが、通信装置２０Ａにおいて対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通信装置２０Ｂに通信する際には、ＰＳＢＣＨ（Ｐｈｙｓｉｃａｌ  Ｓｉｄｅｌｉｎｋ  Ｂｒｏａｄｃａｓｔ  Ｃｈａｎｎｅｌ）、ＰＳＣＣＨ（Ｐｈｙｓｉｃａｌ  Ｓｉｄｅｌｉｎｋ  Ｃｏｎｔｒｏｌ  Ｃｈａｎｎｅｌ）、ＰＳＳＣＨ（Ｐｈｙｓｉｃａｌ  Ｓｉｄｅｌｉｎｋ  Ｓｈａｒｅｄ  Ｃｈａｎｎｅｌ）のいずれか又は組み合わせを介して送信されるサイドリンクの信号（物理レイヤの信号、ＭＡＣレイヤの信号、ＲＲＣレイヤの信号のいずれであってもよい）を送信することにより、通信装置２０Ｂに通知してもよい。
【００５９】
ステップＳ１０１で通信装置２０Ａが送信した無線パラメータの１又は複数の組み合わせを受信したことに応答して、通信装置２０Ｂは、通信装置２０Ａで対応可能な無線パラメータの１又は複数の組み合わせと、通信装置２０Ｂで対応可能な無線パラメータの１又は複数の組み合わせと、を比較することにより、通信装置２０Ａとの通信に用いることが可能な無線パラメータの１又は複数の組み合わせを抽出する。例えば、通信装置２０Ｂは、通信装置２０Ａが送信した無線パラメータの１又は複数の組み合わせと、通信装置２０Ｂで対応可能な無線パラメータの１又は複数の組み合わせと、を比較して、共通する無線パラメータの１又は複数の組み合わせを抽出してもよい。この際に、無線パラメータの１又は複数の組み合わせに対して、優先順位が定められている場合には、優先順位が最も高い無線パラメータの組み合わせから、優先順位がＮ（Ｎ≧１）番目となる無線パラメータの組み合わせまでを抽出してもよい。例えば、サイドリンクの通信における遅延を低減する必要がある場合には、遅延の小さい順に、無線パラメータの１又は複数の組み合わせに対して、優先順位が定められていてもよい。すなわち、最も遅延が小さくなる無線パラメータの組み合わせに対して、最も高い優先順位が割り当てられていてもよい。別の例として、サイドリンクの通信におけるスループットを高める必要がある場合には、スループットの高い順に、無線パラメータの１又は複数の組み合わせに対して、優先順位が定められてもよい。すなわち、スループットが最も高くなる無線パラメータの組み合わせに対して、最も高い優先順位が割り当てられてもよい。ここで、通信装置２０Ａが通信装置２０Ｂにデータを送信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせと、通信装置２０Ａが通信装置２０Ｂからデータを受信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせとが異なっていてもよい。
【００６０】
ステップＳ１０２において、通信装置２０Ｂは、抽出した無線パラメータの１又は複数の組み合わせを通信装置２０Ａに送信する。なお、通信装置２０Ａが通信装置２０Ｂに（或は、通信装置２０Ｂが通信装置２０Ａに）ｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通知する際に、無線パラメータの１又は複数の組み合わせのうちの各組み合わせに対して、インデックスを割り当て、当該無線パラメータの１又は複数の組み合わせを示す情報として、当該１又は複数のインデックスを送信してもよい。
【００６１】
図１１は、そのようなインデックスを付与する例を示す図である。図１１に示されるように、サブキャリア間隔が１５ｋＨｚ、Ｂａｎｄｗｉｄｔｈ  ｐａｒｔが１００ＲＢ、ｓｌｏｔ  ｌｅｎｇｔｈ  が１４シンボルという無線パラメータの組み合わせに対して、インデックス（ｃｏｍｂｉｎａｔｉｏｎ＃）＃１が付与されてもよい。別の例として、図１２に示されるように、無線パラメータの組み合わせの中の各項目に対して、インデックスを割当ててもよい。図１２は、例えば、図１１のｃｏｍｂｉｎａｔｉｏｎ＃０で示される無線パラメータの組み合わせ示している。
【００６２】
このように、無線パラメータの組み合わせに対してインデックスを付与するか、或は無線パラメータの組み合わせの中の各項目に対してインデックスを付与することで、ｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通知する際のオーバヘッドを削減することができる。
【００６３】
ステップＳ１０３において、通信装置２０Ａは、ステップＳ１０２において通信装置２０Ｂから通知された無線パラメータの１又は複数の組み合わせの中から１又は複数の組み合わせを選択して、通信装置２０Ａから通信装置２０Ｂへのデータ送信に適用する。ここで、特に、通信装置２０Ｂから通知された無線パラメータの複数の組み合わせを選択する場合として、例えば、通信装置２０Ａが、複数のコンポーネントキャリア（ＣＣ）を用いて通信装置２０Ｂと通信を行う場合において、コンポーネントキャリア毎に、異なるｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせを適用する場合等が考えられる。例えば、通信装置２０Ａは、通信装置２０Ｂから受信した無線パラメータの１つ又は複数の組み合わせの中から選択した１つ又は複数の無線パラメータの組み合わせを示す情報を、ＳＣＩ（Ｓｉｄｅｌｉｎｋ  Ｃｏｎｔｒｏｌ  Ｉｎｆｏｒｍａｔｉｏｎ）に含めて、ＰＳＣＣＨを介して、通信装置２０Ｂに送信し、当該１つ又は複数の無線パラメータの組み合わせを、通信装置２０Ａから通信装置２０ＢへのＰＳＳＣＨを介してのデータ通信に適用してもよい。別の例として、通信装置２０Ａは、ステップＳ１０３で通信装置２０Ａが選択した無線パラメータの組み合わせを、通信装置２０Ｂに通知しなくてもよい。この場合、通信装置２０Ｂは、受信時に、ステップＳ１０２で通信装置２０Ａに通知した無線パラメータの１つ又は複数の組み合わせのそれぞれを、ブラインドで適用して、通信装置２０Ａから送信されるデータの受信を試みてもよい。
【００６４】
（例２）
次に、上述の課題の解決方法の別の例を図１３を参照して説明する。通信装置２０Ａは、通信装置２０Ａが対応可能なｎｕｍｅｒｏｌｏｇｙ、Ｂａｎｄｗｉｄｔｈ  Ｐａｒｔ、ｓｌｏｔ  ｌｅｎｇｔｈ、ＰＲＢ（Ｐｈｙｓｉｃａｌ  Ｒｅｓｏｕｒｃｅ  Ｂｌｏｃｋ）  ｌｏｃａｔｉｏｎ、Ｓｕｂｃａｒｒｉｅｒ  ｓｐａｃｉｎｇ、Ｃｙｃｌｉｃ  ｐｒｅｆｉｘ等の無線パラメータの１又は複数の組み合わせをサイドリンクで通信装置２０Ｂに通知する（ステップＳ２０１）。次に、通信装置２０Ｂは、通信装置２０Ｂが対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通信装置２０Ｂに通知する（ステップＳ２０２）。ここで、ステップＳ２０１とステップＳ２０２とは順不同である。また、ステップＳ２０１は省略可能である。通信装置２０Ａは、通信装置２０Ｂから受信したｎｕｍｅｒｏｌｏｇｙ、Ｂａｎｄｗｉｄｔｈ  Ｐａｒｔ、ｓｌｏｔ  ｌｅｎｇｔｈ等の無線パラメータの１つ又は複数の組み合わせの中から１つ又は複数の無線パラメータの組み合わせを選択して、選択した無線パラメータの組み合わせを通信装置２０Ｂへの、ＰＳＢＣＨ、ＰＳＣＣＨ、ＰＳＳＣＨのいずれか又は複数を介しての、信号の送信に適用する（Ｓ２０３）。例えば、通信装置２０Ａは、通信装置２０Ｂから受信した無線パラメータの１つ又は複数の組み合わせの中から選択した１つ又は複数の無線パラメータの組み合わせを示す情報を、ＳＣＩ（Ｓｉｄｅｌｉｎｋ  Ｃｏｎｔｒｏｌ  Ｉｎｆｏｒｍａｔｉｏｎ）に含めて、ＰＳＣＣＨを介して、通信装置２０Ｂに送信し、当該１つ又は複数の無線パラメータの組み合わせを、通信装置２０Ａから通信装置２０ＢへのＰＳＳＣＨを介してのデータ通信に適用してもよい。別の例として、通信装置２０Ａは、ステップＳ２０３で通信装置２０Ａが選択した無線パラメータの組み合わせを、通信装置２０Ｂに通知しなくてもよい。この場合、通信装置２０Ｂは、受信時に、ステップＳ１０２で通信装置２０Ａに通知した無線パラメータの１つ又は複数の組み合わせのそれぞれを、ブラインドで適用して、通信装置２０Ａから送信されるデータを受信してもよい。
【００６５】
ここで、図１０に示した例では、ステップＳ１０２において、通信装置２０Ｂは通信装置２０Ａから通知された無線パラメータの１又は複数の組み合わせの中から通信装置２０Ｂで対応可能な無線パラメータの１又は複数の組み合わせを選択するという絞り込みを行って、絞り込まれた無線パラメータの１又は複数の組み合わせを通信装置２０Ａに通知していた。しかしながら、図１３に示した例では、ステップＳ２０２において、通信装置２０Ｂは、そのような絞り込みは行わず、単に、通信装置２０Ｂで対応可能な無線パラメータの１又は複数の組み合わせを通信装置２０Ａに通知する。
【００６６】
この例においても、通信装置２０Ａが通信装置２０Ｂにデータを送信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせと、通信装置２０Ａが通信装置２０Ｂからデータを受信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせとが異なっていてもよい。
【００６７】
また、通信装置２０Ａが通信装置２０Ｂに（或は、通信装置２０Ｂが通信装置２０Ａに）ｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせをサイドリンクで通知する際に、無線パラメータの１又は複数の組み合わせのうちの各組み合わせに対して、１又は複数のインデックスを割り当て、当該無線パラメータの１又は複数の組み合わせを示す情報として、当該１又は複数のインデックスを送信してもよい。
【００６８】
（例３）
次に、上述の課題の解決方法の別の例を図１４を参照して説明する。この例では、サイドリンクの通信に適用する無線パラメータの組み合わせは、基地局１０が決定する。
【００６９】
まず、ステップＳ３０１で、通信装置２０Ａは、通信装置２０Ａが対応可能なｎｕｍｅｒｏｌｏｇｙ、Ｂａｎｄｗｉｄｔｈ  Ｐａｒｔ、ｓｌｏｔ  ｌｅｎｇｔｈ、ＰＲＢ（Ｐｈｙｓｉｃａｌ  Ｒｅｓｏｕｒｃｅ  Ｂｌｏｃｋ）  ｌｏｃａｔｉｏｎ、Ｓｕｂｃａｒｒｉｅｒ  ｓｐａｃｉｎｇ、Ｃｙｃｌｉｃ  ｐｒｅｆｉｘ等の無線パラメータの１又は複数の組み合わせを上りリンクで基地局１０に通知する。ステップＳ３０２で、通信装置２０Ｂは、通信装置２０Ｂが対応可能なｎｕｍｅｒｏｌｏｇｙ、Ｂａｎｄｗｉｄｔｈ  Ｐａｒｔ、ｓｌｏｔ  ｌｅｎｇｔｈ等の無線パラメータの１又は複数の組み合わせを上りリンクで基地局１０に通知する。ここで、ステップＳ３０１とステップＳ３０２とは順不同である。ステップＳ３０３で、基地局１０は、通信装置２０Ａ及び通信装置２０Ｂから送信された無線パラメータの１又は複数の組み合わせのうち、通信装置２０Ａと通信装置２０Ｂとの両方に適用可能な無線パラメータの１又は複数の組み合わせを抽出する。ステップＳ３０４において、基地局１０は、通信装置２０Ａに、ステップＳ３０３で抽出した無線パラメータの１又は複数の組み合わせを通知する。ステップＳ３０５において、基地局１０は、通信装置２０Ｂに、ステップＳ３０３で抽出した無線パラメータの１又は複数の組み合わせを通知する。ここで、ステップＳ３０４とステップＳ３０５とは順不同であり、また、ステップＳ３０５は省略可能である。ステップＳ３０６において、通信装置２０Ａは、ステップＳ３０４において基地局１０から通知された無線パラメータの１又は複数の組み合わせの中から１つ又は複数の組み合わせを選択し、ＰＳＢＣＨ、ＰＳＣＣＨ、ＰＳＳＣＨのうちのいずれか又は複数を介してのＳＬ信号の送信に適用する。
【００７０】
通信装置２０Ａは、ステップ３０６のＳＬ信号の送信に適用した無線パラメータの１又は複数の組み合わせを、ＰＳＢＣＨ、ＰＳＣＣＨ、ＰＳＳＣＨ、ＰＳＤＣＨのうちのいずれか又は組み合わせを介しての、ＳＬ信号（物理レイヤの信号、ＭＡＣレイヤの信号、ＲＲＣレイヤの信号のいずれでもよい）により通信装置２０Ｂに通知してもよい。或は、通信装置２０Ａは、ステップ３０６のＳＬ信号の送信に適用した無線パラメータの１又は複数の組み合わせを、通信装置２０Ｂに通知しなくてもよい。この場合、通信装置２０Ｂは、ステップＳ３０５で通知された無線パラメータの１又は複数の組み合わせをブラインドで適用して、通信装置２０Ａから送信されるデータを受信してもよい。
【００７１】
上述のステップＳ３０１及びステップＳ３０２における無線パラメータの１又は複数の組み合わせの通知は、ＰＵＣＣＨ（Ｐｈｙｓｉｃａｌ  Ｕｐｌｉｎｋ  Ｃｏｎｔｒｏｌ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）のいずれか又は組み合わせを介して送信されるＵＬ信号（物理レイヤの信号、ＭＡＣレイヤの信号、ＲＲＣレイヤの信号のいずれであってもよい）により行われてもよい。
【００７２】
ステップＳ３０３において、基地局１０は、通信装置２０Ａで対応可能な無線パラメータの１又は複数の組み合わせと、通信装置２０Ｂで対応可能な無線パラメータの１又は複数の組み合わせと、を比較することにより、通信装置２０Ａと通信装置２０Ｂとの間での通信に用いることが可能な無線パラメータの１又は複数の組み合わせを抽出する。例えば、基地局１０は、通信装置２０Ａが送信した無線パラメータの１又は複数の組み合わせと、通信装置２０Ｂで対応可能な無線パラメータの１又は複数の組み合わせと、を比較して、共通する無線パラメータの１又は複数の組み合わせを抽出してもよい。この際に、無線パラメータの１又は複数の組み合わせに対して、優先順位が定められている場合には、優先順位が最も高い無線パラメータの組み合わせから、優先順位がＮ（Ｎ≧１）番目となる無線パラメータの組み合わせまでを抽出してもよい。例えば、サイドリンクの通信における遅延を低減する必要がある場合には、遅延の小さい順に、無線パラメータの１又は複数の組み合わせに対して、優先順位が定められていてもよい。すなわち、最も遅延が小さくなる無線パラメータの組み合わせに対して、最も高い優先順位が割り当てられていてもよい。
【００７３】
ここで、通信装置２０Ａが通信装置２０Ｂにデータを送信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせと、通信装置２０Ａが通信装置２０Ｂからデータを受信する際に通信装置２０Ａにおいて適用するｎｕｍｅｒｏｌｏｇｙ、Ｂａｎｄｗｉｄｔｈ  Ｐａｒｔ、ｓｌｏｔ  ｌｅｎｇｔｈ等の無線パラメータの組み合わせとが異なっていてもよい。
【００７４】
（装置構成）
次に、これまでに説明した処理動作を実行する基地局１０及び通信装置２０の機能構成例を説明する。
【００７５】
＜基地局１０＞
図１５は、基地局１０の機能構成の一例を示す図である。図１５に示すように、基地局１０は、送信部１０１と、受信部１０２と、設定情報管理部１０３と、制御部１０４とを有する。図１１に示す機能構成は一例に過ぎない。本実施の形態に係る動作を実行できるのであれば、機能区分及び機能部の名称はどのようなものでもよい。なお、送信部１０１を送信機と称し、受信部１０２を受信機と称してもよい。
【００７６】
送信部１０１は、通信装置２０側に送信する信号を生成し、当該信号を無線で送信する機能を含む。受信部１０２は、通信装置２０から送信された各種の信号を受信し、受信した信号から、例えばより上位のレイヤの情報を取得する機能を含む。また、受信部１０２は受信する信号の測定を行って、品質値を取得する機能を含む。
【００７７】
設定情報管理部１０３には、予め設定した設定情報、通信装置２０から受信する設定情報等が格納される。なお、送信に関わる設定情報が送信部１０１に格納され、受信に関わる設定情報が受信部１０２に格納されることとしてもよい。制御部１０４は、基地局１０の制御を行う。なお、送信に関わる制御部１０４の機能が送信部１０１に含まれ、受信に関わる制御部１０４の機能が受信部１０２に含まれてもよい。
【００７８】
例えば、図１４を参照して説明した動作に対応して、受信部１０２は、通信装置２０Ａから送信される通信装置２０Ａで対応可能な無線パラメータの１又は複数の組み合わせと、通信装置２０Ｂから送信される通信装置２０Ｂで対応可能な無線パラメータの１又は複数の組み合わせと、を受信する。制御部１０４は、通信装置２０Ａで対応可能な無線パラメータの１又は複数の組み合わせと、通信装置２０Ｂで対応可能な無線パラメータの１又は複数の組み合わせと、を比較することにより、通信装置２０Ａと通信装置２０Ｂとの間での通信に用いることが可能な無線パラメータの１又は複数の組み合わせを抽出する。制御部１０４は、抽出した無線パラメータの１又は複数の組み合わせを示す情報を作成し、送信部１０１が当該作成した情報を含む信号を通信装置２０Ａ及び通信装置２０Ｂに送信する。
【００７９】
＜通信装置２０＞
図１６は、通信装置２０の機能構成の一例を示す図である。図１６に示すように、通信装置２０は、送信部２０１と、受信部２０２と、設定情報管理部２０３と、制御部２０４を有する。図１２に示す機能構成は一例に過ぎない。本実施の形態に係る動作を実行できるのであれば、機能区分及び機能部の名称はどのようなものでもよい。なお、送信部２０１を送信機と称し、受信部２０２を受信機と称してもよい。また、通信装置２０は、送信側の通信装置２０Ａであってもよいし、受信側の通信装置２０Ｂであってもよい。
【００８０】
送信部２０１は、送信データから送信信号を作成し、当該送信信号を無線で送信する。受信部２０２は、各種の信号を無線受信し、受信した物理レイヤの信号からより上位のレイヤの信号を取得する。また、受信部２０２は受信する信号の測定を行って、品質値を取得する機能を含む。
【００８１】
設定情報管理部２０３には、予め設定した設定情報、基地局１０から受信する設定情報等が格納される。設定情報管理部２０３は、Ｎｅｍｅｒｏｌｏｇｙ、Ｂａｎｄｗｉｄｔｈ  Ｐａｒｔ、ｓｌｏｔ  ｌｅｎｇｔｈのうちの１つ以上の無線パラメータについて、送信装置２０に適用可能な、異なる値を格納していてもよい。なお、送信に関わる設定情報が送信部２０１に格納され、受信に関わる設定情報が受信部２０２に格納されることとしてもよい。制御部２０４は、通信装置２０の制御を行う。なお、送信に関わる制御部２０４の機能が送信部２０１に含まれ、受信に関わる制御部２０４の機能が受信部２０２に含まれてもよい。
【００８２】
例えば、図１０を参照して説明した動作に対応して、制御部２０４は、受信部２０２が送信側の通信装置２０から受信した送信側の通信装置２０で対応可能な無線パラメータの１又は複数の組み合わせと、設定情報管理部２０３に格納されている通信装置２０で対応可能な無線パラメータの１又は複数の組み合わせとを比較して、送信側の通信装置２０との間での通信に用いることが可能な無線パラメータの１又は複数の組み合わせを抽出する。制御部２０４は、抽出した無線パラメータの１又は複数の組み合わせを示す情報を作成し、送信部２０１が当該作成した情報を含む信号を送信側の通信装置２０に送信する。
【００８３】
また、送信側の通信装置２０において、制御部２０４は、受信部２０２が受信側の通信装置２０から受信した無線パラメータの１又は複数の組み合わせを示す情報に基づき、無線パラメータの１又は複数の組み合わせを選択して、受信側の通信装置２０へのデータ送信に適用する。
【００８４】
＜ハードウェア構成＞
上記実施の形態の説明に用いたブロック図（図１５〜図１６）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８５】
また、例えば、本発明の一実施の形態における通信装置２０と基地局１０はいずれも、本実施の形態に係る処理を行うコンピュータとして機能してもよい。図１７は、本実施の形態に係る通信装置２０と基地局１０のハードウェア構成の一例を示す図である。上述の通信装置２０と基地局１０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００８６】
なお、以下の説明では、「装置」という文言は、回路、デバイス、ユニットなどに読み替えることができる。通信装置２０と基地局１０のハードウェア構成は、図に示した１００１〜１００６で示される各装置を１つ又は複数含むように構成されてもよいし、一部の装置を含まずに構成されてもよい。
【００８７】
通信装置２０と基地局１０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００８８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００８９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図１５に示した基地局１０の送信部１０１と、受信部１０２と、設定情報管理部１０３と、制御部１０４は、メモリ１００２に格納され、プロセッサ１００１で動作する制御プログラムによって実現されてもよい。図１６に示した通信装置２０の送信部２０１と、受信部２０２と、設定情報管理部２０３と、制御部２０４は、メモリ１００２に格納され、プロセッサ１００１で動作する制御プログラムによって実現されてもよい。また、上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９０】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００９１】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、通信装置２０の送信部２０１及び受信部２０２は、通信装置１００４で実現されてもよい。また、基地局１０の送信部１０１及び受信部１０２は、通信装置１００４で実現されてもよい。
【００９３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００９４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００９５】
また、通信装置２０と基地局１０はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９６】
（実施の形態のまとめ）
本明細書には、少なくとも下記の通信装置が開示されている。
【００９７】
無線パラメータの組み合わせの第１のセットを示す情報を受信する受信部と、該無線パラメータの組み合わせの第１のセットと、自身でサポートする無線パラメータの組み合わせの第２のセットと、に基づいて、前記第１のセットと前記第２のセットとの間で共通な無線パラメータの組み合わせの第３のセットを抽出する制御部と、該無線パラメータの組み合わせの第３のセットを示す情報を送信する送信部と、を備える通信装置。
【００９８】
上記の構成によれば、受信側の送信装置は、送信側の通信装置から受信した、送信側の通信装置でサポートされている無線パラメータの組み合わせの第１のセットと、受信側の通信装置でサポートされている無線パラメータの組み合わせの第２のセットとの間で共通する無線パラメータの組み合わせの第３のセットを抽出し、当該第３のセットを示す情報を送信送信側の通信装置に送信することができる。このため、送信側の通信装置は、受信した第３のセットの中から、送信側の通信装置及び受信側の通信装置で使用可能な無線パラメータの組み合わせを選択することができる。
【００９９】
前記受信部は、前記無線パラメータの組み合わせの第３のセットの中から選択された１又は複数の無線パラメータの組み合わせを示す１又は複数のインデックスを受信し、前記制御部は、前記受信した１又は複数のインデックスで指定される１又は複数の無線パラメータを前記受信部に設定してもよい。
【０１００】
上記の構成によれば、送信側の通信装置は、データ送信のために選択した無線パラメータの組み合わせを示すインデックスを受信側の通信装置に送信するので、受信側の通信装置は、受信したインデックスに基づき、送信側の通信装置がデータ送信のために選択した無線パラメータの組み合わせに対応する無線パラメータの組み合わせをデータ受信のために設定することができる。
【０１０１】
前記制御部は、前記無線パラメータの組み合わせの第３のセットの中の各無線パラメータの組み合わせを前記受信部に設定し、前記受信部は、前記設定された無線パラメータの組み合わせで、データ受信を試みてもよい。
【０１０２】
上記の構成によれば、受信側の通信装置は、前記無線パラメータの組み合わせの第３のセットを用いて、ブラインド受信を行うので、送信側の通信装置においては、最終的に適用した無線パラメータの組み合わせを受信側の通信装置に通知する必要がなく、このため、オーバヘッドを削減することができる。
【０１０３】
前記制御部は、前記無線パラメータの組み合わせの第３のセットの中の各無線パラメータの組み合わせに割り当てられる優先順位に基づき、前記無線パラメータの組み合わせの第３のセットの中で最も高い優先順位が割り当てられている無線パラメータのセットを抽出し、前記送信部は、前記最も高い優先順位が割り当てられている無線パラメータのセットを示すインデックスを送信してもよい。
【０１０４】
上記の構成によれば、例えば、データ通信の遅延が小さい順に、無線パラメータの組み合わせに対して優先順位を割り当てておくことにより、サイドリンクのデータ通信における遅延を低減することができる。
【０１０５】
無線パラメータの組み合わせの第１のセットを示す情報を受信する受信部と、該無線パラメータの組み合わせの第１のセットと、自身でサポートする無線パラメータの組み合わせの第２のセットと、を比較することにより、前記第１のセットと前記第２のセットとの間で共通な無線パラメータの１又は複数の組み合わせを抽出する制御部と、前記抽出された無線パラメータの１又は複数の組み合わせを適用してデータ送信を行う送信部と、を備える通信装置。
【０１０６】
上記の構成によれば、データ送信の送信側の通信装置は、送信側の通信装置及び受信側の通信装置で使用可能な無線パラメータの組み合わせを選択して、データ通信に適用することができる。
【０１０７】
第１の通信装置でサポートされている無線パラメータの組み合わせの第１のセットを示す情報と、第２の通信装置でサポートされている無線パラメータの組み合わせの第２のセットを示す情報とを受信する受信部と、前記無線パラメータの組み合わせの第１のセットと、前記無線パラメータの組み合わせの第２のセットと、を比較することにより、前記第１のセットと前記第２のセットとの間で共通な無線パラメータの組み合わせの第３のセットを抽出する制御部と、前記無線パラメータの組み合わせの第３のセットを示す情報を送信する送信部と、を備える基地局装置。
【０１０８】
上記の構成によれば、基地局は、データ送信の送信側の通信装置及び受信側の通信装置で使用可能な無線パラメータの組み合わせを選択して、送信側の通信装置及び受信側の通信装置に通知することができる。
【０１０９】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、通信装置２０と基地局１０は機能的なブロック図を用いて説明されたが、そのような装置はハードウェアで、ソフトウェアで又はそれらの組み合わせで実現されてもよい。本発明の実施の形態に従って通信装置２０が有するプロセッサにより動作するソフトウェア及び本発明の実施の形態に従って基地局１０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１０】
本実施例は、主にサイドリンクの通信に適用されることを前提としているが、サイドリンクには限定されず、セルラ通信のＤＬ／ＵＬに適用されてもよい。また、本実施例において、ＳＬ  ｃａｐａｂｉｌｉｔｙ及びＵＥ  ｃａｐａｂｉｌｉｔｙを規定する無線パラメータの組み合わせとして、ｎｕｍｅｒｏｌｏｇｙ、ｂａｎｄｗｉｄｔｈ  ｐａｒｔ、ｓｌｏｔ  ｌｅｎｇｔｈについて記載したが、無線パラメータの組み合わせはこれに限定されない。例えば、ｍｉｎｉ−ｓｌｏｔの対応有無、ｄｙｎａｍｉｃ  ＴＤＤの対応ｆｏｒｍａｔ、ｓｈｏｒｔ／ｌｏｎｇ  ＰＵＣＣＨの対応有無、ＳＬのｍｕｌｔｉｌａｙｅｒ送信の対応有無（最大ｌａｙｅｒ数、及び／又はｐｏｒｔ数の情報を含む）、ｗａｖｅｆｏｒｍ（ＣＰ−ＯＦＤＭ／ＤＦＴ−Ｓ−ＯＦＤＭ）等が通知されても良く、これらの無線パラメータの１つ又は複数の組み合わせのうち、いずれを適用するかの選択がなされてもよい。
【０１１１】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１１２】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＮＲ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１１３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１４】
本明細書において基地局１０によって行われるとした特定動作は、場合によってはその上位ノード（ｕｐｐｅｒ  ｎｏｄｅ）によって行われることもある。基地局１０を有する１つまたは複数のネットワークノード（ｎｅｔｗｏｒｋ  ｎｏｄｅｓ）からなるネットワークにおいて、通信装置２０との通信のために行われる様々な動作は、基地局１０および／または基地局１０以外の他のネットワークノード（例えば、ＭＭＥまたはＳ−ＧＷなどが考えられるが、これらに限られない）によって行われ得ることは明らかである。上記において基地局１０以外の他のネットワークノードが１つである場合を例示したが、複数の他のネットワークノードの組み合わせ（例えば、ＭＭＥおよびＳ−ＧＷ）であってもよい。
【０１１５】
本明細書で説明した各態様／実施形態は単独で用いてもよいし、組み合わせて用いてもよいし、実行に伴って切り替えて用いてもよい。
【０１１６】
通信装置２０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１７】
基地局１０は、当業者によって、ＮＢ（ＮｏｄｅＢ）、ｅＮＢ（ｅｎｈａｎｃｅｄ  ＮｏｄｅＢ）、ベースステーション（Ｂａｓｅ  Ｓｔａｔｉｏｎ）、ｇＮＢ、またはいくつかの他の適切な用語で呼ばれる場合もある。
【０１１８】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１１９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２０】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１２１】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１２２】
本明細書で使用する「選択（ｓｅｌｅｃｔｉｎｇ）」、「抽出（ｅｘｔｒａｃｔｉｎｇ）」という用語は、多種多様な動作を包含する場合がある。「選択」、「抽出」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「選択」「抽出」したとみなす事などを含み得る。また、「選択」、「抽出」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「選択」「抽出」したとみなす事などを含み得る。また、「選択」、「抽出」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「選択」「抽出」したとみなす事を含み得る。つまり、「選択」、「抽出」は、何らかの動作を「選択」「抽出」したとみなす事を含み得る。
【０１２３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２４】
１０１  送信部
１０２  受信部
１０３  設定情報管理部
１０４  制御部
２０１  送信部
２０２  受信部
２０３  設定情報管理部
２０４  制御部
１００１  プロセッサ
１００２  メモリ
１００３  ストレージ
１００４  通信装置
１００５  入力装置
１００６  出力装置
【図１】
2020003531.tif 000003
【図２Ａ】
2020003531.tif 000004
【図２Ｂ】
2020003531.tif 000005
【図３】
2020003531.tif 000006
【図４】
2020003531.tif 000007
【図５】
2020003531.tif 000008
【図６】
2020003531.tif 000009
【図７】
2020003531.tif 000010
【図８】
2020003531.tif 000011
【図９】
2020003531.tif 000012
【図１０】
2020003531.tif 000013
【図１１】
2020003531.tif 000014
【図１２】
2020003531.tif 000015
【図１３】
2020003531.tif 000016
【図１４】
2020003531.tif 000017
【図１５】
2020003531.tif 000018
【図１６】
2020003531.tif 000019
【図１７】
2020003531.tif 000020
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
無線パラメータの第１のセットを含む情報を受信する受信部と、
該無線パラメータの第１のセットから、自身でサポートする無線パラメータである無線パラメータの第２のセットを生成する制御部と、
該無線パラメータの第２のセットに含まれる１又は複数の無線パラメータを含む情報を送信する送信部と、
を備え、
前記制御部は、前記送信部が送信する１又は複数の無線パラメータを、前記無線パラメータの第１のセットを含む情報が指定する優先順位に基づき生成する、
通信装置。
【請求項２】
前記制御部は、前記送信部が送信した１又は複数の無線パラメータに基づき、データを受信する、
請求項１に記載の通信装置。
【請求項３】
無線パラメータの第１のセットを含む情報を受信するステップと、
該無線パラメータの第１のセットから、自身でサポートする無線パラメータである無線パラメータの第２のセットを生成するステップと、
該無線パラメータの第２のセットに含まれる１又は複数の無線パラメータを含む情報を送信するステップと、
を備える通信装置の通信方法であって、
前記１又は複数の無線パラメータを、前記無線パラメータの第１のセットを含む情報が指定する優先順位に基づき生成する、
ことを特徴とする、通信装置の通信方法。
【請求項４】
無線パラメータの第１のセットを含む情報を受信する受信部と、
該無線パラメータの第１のセットから、自身でサポートする無線パラメータである無線パラメータの第２のセットを生成する制御部と、
該無線パラメータの第２のセットに含まれる１又は複数の無線パラメータを含む情報を送信し、基地局へＵＥ  ｃａｐａｂｉｌｉｔｙを送信する送信部と、
を備え、
前記１又は複数の無線パラメータを、前記無線パラメータの第１のセットを含む情報が指定する優先順位に基づき生成する、通信装置と
前記通信装置から送信された前記ＵＥ  ｃａｐａｂｉｌｉｔｙを受信する基地局と、
を備えるシステム。
【手続補正３】
【補正対象書類名】明細書
【補正対象項目名】０００７
【補正方法】変更
【補正の内容】
【０００７】
本発明の一態様によれば、無線パラメータの第１のセットを含む情報を受信する受信部と、該無線パラメータの第１のセットから、自身でサポートする無線パラメータである無線パラメータの第２のセットを生成する制御部と、該無線パラメータの第２のセットに含まれる１又は複数の無線パラメータを含む情報を送信する送信部と、を備え、前記制御部は、前記送信部が送信する１又は複数の無線パラメータを、前記無線パラメータの第１のセットを含む情報が指定する優先順位に基づき生成する、通信装置が提供される。
【国際調査報告】
2020003531.tif 000021
2020003531.tif 000022
2020003531.tif 000023
2020003531.tif 000024